(57)【特許請求の範囲】
【請求項１】
建物の内装壁面に取り付けられる内装パネルの上下両端部にそれぞれ吸排気口を設け、内装パネル内に吸排気口同士を連通させるダクト部を設けると共に室内空気を吸排気口からダクト部内に流通させる送風手段を設けてなる内装パネル構造であって、前記内装壁面に取着され且つ前記内装パネルを前記内装壁面から前方に浮かせた状態で取り付ける左右一対の縦桟と、前記左右一対の縦桟間において前記内装パネルの裏面と前記内装壁面との間に形成される空気層と、この空気層の上下両端部の少なくとも一方に設けられる通気開口と、前記ダクト部内を流通する空気の一部を前記空気層内へ導くための分岐風路とを備えることを特徴とする内装パネル構造。
【請求項２】
前記空気層の上下両端部にそれぞれ通気開口を設けると共に、前記分岐風路を前記ダクト部裏面の上端部近傍から前記空気層内に分岐接続することを特徴とする請求項１記載の内装パネル構造。
【請求項３】
前記空気層の上端部に通気開口を設けると共に前記空気層の下端部を閉塞し、前記分岐風路を前記ダクト部裏面の下端部近傍から前記空気層内に分岐接続することを特徴とする請求項１記載の内装パネル構造。
【発明の詳細な説明】
【技術分野】
【０００１】
本発明は、内装パネル構造に関し、詳しくは、建物の内装壁面に空気浄化機能や調湿機能を有する内装パネルを取り付ける際に、内装パネル背後の内装壁面と室内温度との温度差に起因する結露やカビ、ダニなどの発生を防止しようとする技術に関するものである。
【背景技術】
【０００２】
従来から、調湿性を有する基材を備えた内装パネルの四周を固定支持する専用枠によって壁面に取り付ける内装パネルの取付構造が知られている（例えば、特許文献１参照）。
【０００３】
この内装パネルは、専用枠の前側に、内装パネルを固定支持する固定部が設けられており、この固定部によって固定支持された前記内装パネルの背面側には、上下にのみ開放され、気流が通じる空間部が構成され、前記壁面との間に空隙が形成されるよう内装パネルが取り付けられている。これにより、内装パネルの背面側に気流が通じる空隙が形成され、住居空間の空気の自然対流がスムーズに空間部へ誘導されるので、内装パネルの背面から湿気を効果的に吸放出させるものである。
【先行技術文献】
【特許文献】
【０００４】
【特許文献１】特開２０１０−３１４９４号公報
【発明の概要】
【発明が解決しようとする課題】
【０００５】
ところで、内装パネルを内装壁面に取り付けるにあたっては、通常、壁埋め込みにて施工される。しかしこの施工方式だと、リフォーム時に壁を壊して内装パネルを設置しなければならず、リフォームが面倒である。
【０００６】
しかも、内装パネル背後の内装壁面の表面温度が、室内温度よりも低くなり、このため、外気・室内の温度条件や湿度条件、断熱条件などにより結露が発生しやすくなり、カビやダニなどの発生原因となる可能性もある。
【０００７】
本発明は上記の事情に鑑みてなされたものであって、その目的とするところは、リフォームが容易で、しかも内装パネル背後の内装壁面の温度と室内温度との温度差に起因する結露やカビなどが発生しにくくできる内装パネル構造を提供することにある。
【課題を解決するための手段】
【０００８】
前記の課題を解決するために、本発明は、建物の内装壁面に取り付けられる内装パネルの上下両端部にそれぞれ吸排気口を設け、内装パネル内に吸排気口同士を連通させるダクト部を設けると共に室内空気を吸排気口からダクト部内に流通させる送風手段を設けてなる内装パネル構造であって、前記内装壁面に取着され且つ前記内装パネルを前記内装壁面から前方に浮かせた状態で取り付ける左右一対の縦桟と、前記左右一対の縦桟間において前記内装パネルの裏面と前記内装壁面との間に形成される空気層と、この空気層の上下両端部の少なくとも一方に設けられる通気開口と、前記ダクト部内を流通する空気の一部を前記空気層内へ導くための分岐風路とを備えていることを特徴としている。
【０００９】
また、前記空気層の上下両端部にそれぞれ通気開口を設けると共に、前記分岐風路を前記ダクト部裏面の上端部近傍から前記空気層内に分岐接続するのが好ましい。
【００１０】
また、前記空気層の上端部に通気開口を設けると共に前記空気層の下端部を閉塞し、前記分岐風路を前記ダクト部裏面の下端部近傍から前記空気層内に分岐接続するのが好ましい。
【発明の効果】
【００１１】
本発明は、リフォームが容易で、しかも内装パネル背後の内装壁面の温度と室内温度との温度差に起因する結露やカビなどが発生しにくくできるものである。
【図面の簡単な説明】
【００１２】
【図１】本発明の一実施形態の内装パネル構造を示し、空気浄化機能及び調湿機能を有する内装パネル本体を内装壁面から空気層をあけて、ふかし施工枠に取り付けた状態の側面断面図である。
【図２】（ａ）は同上の内装パネル本体を内装壁面に固着したふかし施工枠に取り付ける前の状態の斜視図であり、（ｂ）は内装パネル本体をふかし施工枠に取り付けた状態の斜視図であり、（ｃ）は取り付け状態の平面図である。
【図３】同上の内装パネル本体のダクト部の分解斜視図である。
【図４】（ａ）は同上のふかし施工枠の斜視図であり、（ｂ）は（ａ）の要部斜視図である。
【図５】本発明の他の実施形態を示す側面断面図である。
【発明を実施するための形態】
【００１３】
以下、本発明の実施の形態について、図面を参照しながら説明する。
【００１４】
内装パネル２は、図１に示すように、内装パネル本体３の上下両端部にそれぞれ吸排気口４,５が設けられる。内装パネル本体３内には、吸排気口４,５同士を連通させる連通路を形成するダクト部６が設けられる。このダクト部６の下端部６ａには、下側の吸排気口４に臨ませて、室内空気をダクト部６内に流通させるための送風手段７である複数のシロッコファン７ａが設けられる。
【００１５】
内装パネル本体３のダクト部６は、図３に示すように、幅広の調湿用凹所３０と、幅狭のサーキュレータ用凹所３１とが並列状に設けられている。幅広の調湿用凹所３０内には、脱臭フィルタ、調湿剤などの空気浄化機能部材（図示せず）が収納保持される。幅広の調湿用凹所３０の下端部には２個のシロッコファン７ａが並列配置され、幅狭のサーキュレータ用凹所３１の下端部には１個のシロッコファン７ａが配設される。これにより、ダクト部６は空気浄化機能と調湿機能とを併せ持つようになる。なお、図３中の１３は後述する空気層１１に通じる分岐風路であり、５０は電気配線であり、５１は配線ホルダである。
【００１６】
内装パネル２は、図２に示すように、既存の内装壁面１に取着される左右一対の縦桟９に取り付けられる。なお図2中の８０は送風手段７の操作部である。
【００１７】
本例では、左右一対の縦桟９と、左右一対の縦桟９を連結する上下複数本の横桟１０とで、ふかし施工枠８が構成される。縦桟９は例えば木製、横桟１０は例えば金属製とされる。なお横桟１０は縦桟９よりも薄肉状に形成され、後述する空気層１１が横桟１０に遮られることなく、上下方向に連続形成されるようにしている。
【００１８】
次に、ふかし施工枠８の具体例を図４に示す。図４において、上下複数の横桟１０はそれぞれ、釘やビスなどの固着具６０で内装壁面１に固着されている。各横桟１０の左右両端部には、それぞれ、前方Ｆに向かって取付片６３が屈曲形成され、この取付片６３がビスやネジなどの固着具６１で縦桟９の内側面に固着されている。更に、取付片６３の先端から横方向に向かって係止片６４が屈曲形成されている。この係止片６４は内装パネル本体３裏面と平行に屈曲している。内装パネル本体３裏面のダクト部６と干渉しない両側部分に設けた引っ掛け具（図示せず）が係止片６４に対して前方Ｆから引っ掛け係止可能とされる。
【００１９】
ここで、内装パネル本体３の引っ掛け具は、内装パネル本体３の裏面を内装壁面１から前方Ｆに浮かせた状態で、上記係止片６４に対して着脱可能に引っ掛け係止される。これにより、内装パネル２裏面と内装壁面１との間には、図１に示すように、空気層１１が形成される。この空気層１１の左右両側は、上記左右一対の縦桟９（図２）によってそれぞれ閉塞される。空気層１１は上下にのみ開放されていると共に、その上下両端部は、それぞれ、通気開口１２を有する上蓋２０と下蓋１９とで覆われている。
【００２０】
本例では、上蓋２０が内装パネル本体３の上端部に取着され、下蓋１９が内装パネル本体３の下端部に取着されている。内装パネル本体３の上端部と天井面１８との間には、パネル上通路１５が形成され、このパネル上通路１５を介して室内と上蓋２０の通気開口１２とが連通している。内装パネル本体３の下端部と床面１７との間には、パネル下通路１４が形成され、このパネル下通路１４を介して室内と下蓋１９の通気開口１２とが連通している。
【００２１】
一方、内装パネル本体３のダクト部６裏面の上端部６ｂ近傍には、分岐風路１３が分岐接続されている。分岐風路１３は、ダクト部６内を流通する空気の一部を空気層１１内へ導くためのものであり、図１に示す例では、上向きに開口したスリット１３ａで構成されている。このスリット１３ａから空気層１１内への送風方向は上向きになっており、これにより、空気層１１内に上昇気流を発生させ、この上昇気流を利用してパネル下通路１４から空気層１１内に室内空気を吸い込む構造となっている。
【００２２】
次に、室内空気の循環動作を説明する。
【００２３】
操作部８０（図２）で送風手段７を駆動すると、室内空気が図１の矢印Ａで示すように、内装パネル２下端の吸排気口４からダクト部６内に吸い込まれ、脱臭フィルタや調湿剤等を通過して、内装パネル２上端の吸排気口５から室内に戻される。このとき、ダクト部６を循環する空気Ａの一部は、内装パネル本体３の背面上端に設けた分岐風路１３のスリット１３ａから空気層１１内に分岐供給される。このとき、スリット１３ａから空気（風）が上方向に向けて吹き出すことによって、空気層１１内で上昇気流が発生し、これにより空気層１１内が負圧になる。この負圧を利用して、室内空気が図１の矢印Ａとは別経路の矢印Ｂで示すように、パネル下通路１４から下蓋１９の通気開口１２を通じて空気層１１に吸い込まれ、更に空気層１１の上端の通気開口１２からパネル上通路１５を通って室内に戻される。
【００２４】
しかして、室内空気を、上記空気浄化機能及び調湿機能等を有するダクト部６に循環させることにより、室内の空気を浄化する効果及び調湿する効果が得られる。
【００２５】
更に、室内空気を、ダクト部６とは別経路で空気層１１内に循環させることにより、内装パネル２背後の内装壁面１の表面温度Ｔ２（図２（ｃ））が室内温度とほぼ同じ、つまり室内に露出している内装壁面１の表面温度Ｔ１とほぼ同じになる。つまり外気・室内の温度条件や湿度条件、断熱条件に影響されることなく、表面温度Ｔ２を室温まで下げることができる。この結果、内装パネル２のダクト部６内部やその裏面側、及び内装壁面１において、結露やカビ、ダニなどが発生するのを防止することが可能になる。
【００２６】
しかも、既存の内装壁面１から浮かして内装パネル２を施工する、ふかし施工方式を採用したことにより、リフォーム時には既存の内装壁面１をそのまま残して、内装パネル２の設置や交換等の施工が可能となるため、リフォームが容易となる。
【００２７】
また本例では、空気層１１の上下両端部にそれぞれ通気開口１２を設けると共に、空気層１１の上端部近傍に分岐風路１３を分岐接続しているので、分岐風路１３から少量の風を空気層１１内に流すだけで、空気層１１内に負圧が生じやすくなる。これにより、負圧を利用して空気層１１に室内空気を循環させることができる。このように１つの送風手段７を用いて、内装パネル２のダクト部６と空気層１１とに別ルートで室内空気を送り込むことができるので、室内空気の対流が促進されるものである。
【００２８】
図５は本発明の他の実施形態である。本例では、空気層１１の上端部を通気開口１２を有する上蓋２０で覆うと共に空気層１１の下端部を密閉構造の下蓋１９ａで閉塞している。さらに、内装パネル本体３のダクト部６裏面の下端部６ａ近傍に、上向きに開口したスリット１３ａからなる分岐風路１３を空気層１１内に分岐接続している。そして、分岐風路１３から空気層１１内への送風方向を上向きにすることで、空気層１１の下端から上端に向かって風が流れるようになる。つまり、下蓋１９をスリットのない密閉構造とした場合でも、空気層１１の下端部側に風を送り込むことができる。この結果、前記図１の実施形態と同様、内装パネル２背後の内装壁面１の表面温度を室内温度とほぼ同じにでき、結露やカビ、ダニなどが発生しにくくなる効果が得られる。
【００２９】
前記図１及び図５の各実施形態では、下側の吸排気口４から上側の吸排気口５に室内空気が循環するように、送風手段７を駆動させる場合を説明したが、これには限定されない。例えば、上側の吸排気口４から下側の吸排気口５に向かって室内空気が循環するように、送風手段7を駆動させてもよい。要するに、室内の上方に暖気が滞留したり下方に冷気が滞留しにくいように循環させればよく、これにより室内を快適な温度分布に保つことができ、室内に居る者は快適に過ごすことができる。
【符号の説明】
【００３０】
１  内装壁面
２  内装パネル
３  内装パネル本体
４,５  吸排気口
６  ダクト部
６ａ  下端部
６ｂ  上端部
７  送風手段
８  ふかし施工枠
９  縦桟
１０  横桟
１１  空気層
１２  通気開口
１３  分岐風路
Ｆ  前方
【図１】
0005542008.tif 000002
【図２】
0005542008.tif 000003
【図３】
0005542008.tif 000004
【図４】
0005542008.tif 000005
【図５】
0005542008.tif 000006